【手続補正書】
【提出日】平成19年6月19日(2007.6.19)
【手続補正１】
【補正対象書類名】明細書
【補正対象項目名】発明の名称
【補正方法】変更
【補正の内容】
【発明の名称】画像読取装置
【手続補正２】
【補正対象書類名】明細書
【補正対象項目名】特許請求の範囲
【補正方法】変更
【補正の内容】
【特許請求の範囲】
【請求項１】  画像を走査して読み取る画像読み取り手段と、
上記画像読み取り手段により読み取られた画像データを外部機器に順次送出する送出手段と、
上記画像読み取り手段を移動させる駆動手段と、
上記外部機器のデータ取り込みが間に合うか否かを監視する監視手段と、
上記画像読み取り手段による読み取り中に上記監視手段により上記外部機器のデータ取り込みが間に合わないと判断された場合に読み取り動作を中断し、上記駆動手段により上記画像読み取り手段を所定の位置まで戻させ、そこから読み取り動作を再開させる制御手段とを備えたことを特徴とする画像読取装置。
【請求項２】  上記監視手段は、上記外部機器からの信号に基づいて、上記外部機器がデータ取り込み可能か否かを判断することを特徴とする請求項１に記載の画像読取装置。
【請求項３】  上記画像読み取り手段により読み取られた画像データを一時格納する格納手段を備え、上記画像読み取り手段により読み取られた画像データは上記格納手段に格納され、上記送出手段は、上記格納手段に格納された画像データを上記外部機器に送出することを特徴とする請求項１又は２に記載の画像読取装置。
【請求項４】  上記格納手段の空き容量を検出する検出手段を備え、上記制御手段は、上記外部機器のデータ取り込みが間に合わないときに、上記画像読み取り手段による読み取り動作を中断することを特徴とする請求項３に記載の画像読取装置。
【請求項５】  上記格納手段は、上記外部機器に送出された画像データの上に新たな画像データを上書きすることができることを特徴とする請求項４に記載の画像読取装置。
【請求項６】  上記制御手段は、上記画像読み取り手段による読み取り動作を中断した場合に、上記格納手段の空き容量が増えるのを待って、上記画像読み取り手段による読み取り動作を上記所定位置から再開させることを特徴とする請求項４又は５に記載の画像読取装置。
【請求項７】  上記画像読み取り手段による読み取り動作を中断した場合に、それまでの該読み取り動作によって上記格納手段に格納された画像データを廃棄する廃棄手段を備えたことを特徴とする請求項３に記載の画像読取装置。
【請求項８】  上記駆動手段は、上記画像読み取り手段を移動させながら上記画像を走査して読み取ることを特徴とする請求項１〜７のいずれか１項に記載の画像読取装置。
【請求項９】  上記所定位置は、上記駆動手段の加速が終了し一定速移動となる十分な距離に設定されていることを特徴とする請求項１に記載の画像読取装置。
【請求項１０】  上記画像を照明して、その光を上記画像読み取り手段に入力させる構成とし、上記画像読み取り手段を固定するとともに、上記光の光路を変化させることにより、上記画像読み取り手段により上記画像を走査して読み取ることを特徴とする請求項１〜７のいずれか１項に記載の画像読取装置。
【請求項１１】  上記画像読み取り手段による読み取り動作を中断した場合に、その中断通知を上記外部機器に通知する通知手段を備えたことを特徴とする請求項１に記載の画像読取装置。
【請求項１２】  上記通知手段は、上記中断通知とともに、それまでの該画像読み取り動作により送出した画像データを廃棄するよう命令を上記外部機器に通知することを特徴とする請求項１１に記載の画像読取装置。
【請求項１３】  上記画像読み取り手段による読み取り動作を再開が可能になったことを上記外部機器に通知する通知手段を備えたことを特徴とする請求項１に記載の画像読取装置。
【請求項１４】  上記画像はマイクロフィルムから読み取られることを特徴とする請求項１〜１３のいずれか１項に記載の画像読取装置。
【請求項１５】  上記マイクロフィルムの画像が投影される表示手段を備え、上記画像読み取り手段は、上記表示手段に投影されている画像を走査して読み取ることを特徴とする請求項１４に記載の画像読取装置。
【請求項１６】  画像を走査して読み取る画像読み取り手段と、
上記画像読み取り手段により読み取られた画像データを外部機器に順次送出する送出手段と、
上記画像から上記画像読み取り手段への光路に設けられたミラーを回転させる駆動手段と、
上記外部機器のデータ取り込みが間に合うか否かを監視する監視手段と、
上記画像読み取り手段による読み取り中に上記監視手段により上記外部機器のデータ取り込みが間に合わないと判断された場合に読み取り動作を中断し、上記駆動手段により上記ミラーを所定の位置まで戻させ、そこから読み取り動作を再開させる制御手段とを備えたことを特徴とする画像読取装置。
【手続補正３】
【補正対象書類名】明細書
【補正対象項目名】０００１
【補正方法】変更
【補正の内容】
【０００１】
【発明の属する技術分野】
本発明は、紙やマイクロフィルム等の媒体から読み取った画像データをパーソナルコンピュータやプリンタ等の外部機器に出力する画像読取装置に関する。
【手続補正４】
【補正対象書類名】明細書
【補正対象項目名】００１０
【補正方法】変更
【補正の内容】
【００１０】
このようなモータの回転数の変化やモータにかかる負荷の変動によりモータに振動が生じると、その振動が光学系部分に伝わって、表示画像に歪みが生じ、結果的にスキャンされた画像も歪んだものとなってしまう。
【手続補正５】
【補正対象書類名】明細書
【補正対象項目名】００１２
【補正方法】変更
【補正の内容】
【００１２】
【課題を解決するための手段】
本発明の画像読取装置は、画像を走査して読み取る画像読み取り手段と、上記画像読み取り手段により読み取られた画像データを外部機器に順次送出する送出手段と、上記画像読み取り手段を移動させる駆動手段と、上記外部機器のデータ取り込みが間に合うか否かを監視する監視手段と、上記画像読み取り手段による読み取り中に上記監視手段により上記外部機器のデータ取り込みが間に合わないと判断された場合に読み取り動作を中断し、上記駆動手段により上記画像読み取り手段を所定の位置まで戻させ、そこから読み取り動作を再開させる制御手段とを備えたことを特徴とする。
【手続補正６】
【補正対象書類名】明細書
【補正対象項目名】００１４
【補正方法】変更
【補正の内容】
【００１４】
また、本発明の画像読取装置の他の特徴とするところは、上記画像読み取り手段により読み取られた画像データを一時格納する格納手段を備え、上記画像読み取り手段により読み取られた画像データは上記格納手段に格納され、上記送出手段は、上記格納手段に格納された画像データを上記外部機器に送出する点にある。
【手続補正７】
【補正対象書類名】明細書
【補正対象項目名】００１５
【補正方法】変更
【補正の内容】
【００１５】
また、本発明の画像読取装置の他の特徴とするところは、上記格納手段の空き容量を検出する検出手段を備え、上記制御手段は、上記外部機器のデータ取り込みが間に合わないときに、上記画像読み取り手段による読み取り動作を中断する点にある。
【手続補正８】
【補正対象書類名】明細書
【補正対象項目名】００１６
【補正方法】変更
【補正の内容】
【００１６】
また、本発明の画像読取装置の他の特徴とするところは、上記格納手段は、上記外部機器に送出された画像データの上に新たな画像データを上書きすることができる点にある。
【手続補正９】
【補正対象書類名】明細書
【補正対象項目名】００１８
【補正方法】変更
【補正の内容】
【００１８】
また、本発明の画像読取装置の他の特徴とするところは、上記画像読み取り手段による読み取り動作を中断した場合に、それまでの該読み取り動作によって上記格納手段に格納された画像データを廃棄する廃棄手段を備えた点にある。
【手続補正１０】
【補正対象書類名】明細書
【補正対象項目名】００１９
【補正方法】変更
【補正の内容】
【００１９】
また、本発明の画像読取装置の他の特徴とするところは、上記駆動手段は、上記画像読み取り手段を移動させながら上記画像を走査して読み取る点にある。
【手続補正１１】
【補正対象書類名】明細書
【補正対象項目名】００２０
【補正方法】変更
【補正の内容】
【００２０】
また、本発明の画像読取装置の他の特徴とするところは、上記所定位置は、上記駆動手段の加速が終了し一定速移動となる十分な距離に設定されている点にある。
【手続補正１２】
【補正対象書類名】明細書
【補正対象項目名】００２１
【補正方法】変更
【補正の内容】
【００２１】
また、本発明の画像読取装置の他の特徴とするところは、上記画像を照明して、その光を上記画像読み取り手段に入力させる構成とし、上記画像読み取り手段を固定するとともに、上記光の光路を変化させることにより、上記画像読み取り手段により上記画像を走査して読み取る点にある。
【手続補正１３】
【補正対象書類名】明細書
【補正対象項目名】００２３
【補正方法】変更
【補正の内容】
【００２３】
また、本発明の画像読取装置の他の特徴とするところは、上記通知手段は、上記中断通知とともに、それまでの該画像読み取り動作により送出した画像データを廃棄するよう命令を上記外部機器に通知する点にある。
【手続補正１４】
【補正対象書類名】明細書
【補正対象項目名】００２４
【補正方法】変更
【補正の内容】
【００２４】
また、本発明の画像読取装置の他の特徴とするところは、上記画像読み取り手段による読み取り動作を再開が可能になったことを上記外部機器に通知する通知手段を備えた点にある。
【手続補正１５】
【補正対象書類名】明細書
【補正対象項目名】００２５
【補正方法】変更
【補正の内容】
【００２５】
また、本発明の画像読取装置の他の特徴とするところは、上記画像はマイクロフィルムから読み取られる点にある。
【手続補正１６】
【補正対象書類名】明細書
【補正対象項目名】００２６
【補正方法】変更
【補正の内容】
【００２６】
また、本発明の画像読取装置の他の特徴とするところは、上記マイクロフィルムの画像が投影される表示手段を備え、上記画像読み取り手段は、上記表示手段に投影されている画像を走査して読み取る点にある。
本発明の別の画像読取装置は、画像を走査して読み取る画像読み取り手段と、上記画像読み取り手段により読み取られた画像データを外部機器に順次送出する送出手段と、上記画像から上記画像読み取り手段への光路に設けられたミラーを回転させる駆動手段と、上記外部機器のデータ取り込みが間に合うか否かを監視する監視手段と、上記画像読み取り手段による読み取り中に上記監視手段により上記外部機器のデータ取り込みが間に合わないと判断された場合に読み取り動作を中断し、上記駆動手段により上記ミラーを所定の位置まで戻させ、そこから読み取り動作を再開させる制御手段とを備えたことを特徴とする。